(57)【要約】【課題】アームに沿った配線が不要なヘッドホンを提供する。【解決手段】ケーブル３０は、音源から出力される第１、第２オーディオ信号Ｓ１、Ｓ２を、第１、第２筐体１０ａ、１０ｂに分配する。ケーブル３０第１信号線Ｌ１は、入力プラグ３２と第１端子３４ａの間に敷設され、第１オーディオ信号Ｓ１を伝送する。第２信号線Ｌ２は、入力プラグ３２と第２端子３４ｂの間に敷設され、第２オーディオ信号Ｓ２を伝送する。第３信号線Ｌ３は、第１端子３４ａと第２端子３４ｂの間に、第１信号線Ｌ１および第２信号線Ｌ２と平行して、入力プラグ３２を経由して敷設される。【選択図】図２
2009141675.tif 000002
【特許請求の範囲】
【請求項１】
音源から出力されるオーディオ電気信号を音響信号に変換するヘッドホンであって、
電池と、第１スピーカと、第１マイクロホンと、入力された第１オーディオ信号に前記第１マイクロホンにより集音された音声信号を位相反転して重畳し、前記第１スピーカを駆動する第１駆動回路と、を含む第１筐体と、
第２スピーカと、第２マイクロホンと、入力された第２オーディオ信号に前記第２マイクロホンにより集音された音声信号を位相反転して重畳し、前記第２スピーカを駆動する第２駆動回路と、を含む第２筐体と、
前記音源から出力される前記第１、第２オーディオ信号を、前記第１、第２筐体に分配するケーブルと、
を備え、
前記ケーブルは、
着脱可能な入力プラグと、
前記第１筐体に接続すべき第１端子と、
前記第２筐体に接続すべき第２端子と、
前記入力プラグと前記第１端子の間に敷設され、前記第１オーディオ信号を伝送するための第１信号線と、
前記入力プラグと前記第１端子の間に敷設され、前記第１信号線と対をなす第１接地線と、
前記入力プラグと前記第２端子の間に敷設され、前記第２オーディオ信号を伝送するための第２信号線と、
前記入力プラグと前記第２端子の間に敷設され、前記第２信号線と対をなす第２接地線と、
前記第１端子と前記第２端子の間に、前記第１信号線および前記第２信号線と平行して、前記入力プラグを経由して敷設される第３信号線と、
を備え、
前記第１駆動回路は、前記第１筐体内に敷設された配線を介して、前記電池から電力供給を受け、
前記第２駆動回路は、前記第３信号線を介して、前記電池から電力供給を受けることを特徴とするヘッドホン。
【請求項２】
前記第１、第２駆動回路はそれぞれ、
対応する前記マイクロホンの出力を増幅するマイクアンプと、
前記マイクアンプの出力の位相を調節する位相調節回路と、
前記位相調節回路の出力を増幅するスピーカアンプと、
対応するオーディオ信号に、対応する前記スピーカアンプの出力を重畳し、対応する前記スピーカに出力する信号加算回路と、
を含むことを特徴とする請求項１に記載のヘッドホン。
【請求項３】
第１筐体と第２筐体を有するヘッドホンを音源と接続するためのヘッドホン用ケーブルであって、
着脱可能な入力プラグと、
前記第１筐体に接続すべき第１端子と、
前記第２筐体に接続すべき第２端子と、
前記入力プラグと前記第１端子の間に敷設され、第１オーディオ信号を伝送するための第１信号線と、
前記入力プラグと前記第１端子の間に敷設され、前記第１信号線と対をなす第１接地線と、
前記入力プラグと前記第２端子の間に敷設され、第２オーディオ信号を伝送するための第２信号線と、
前記入力プラグと前記第２端子の間に敷設され、前記第２信号線と対をなす第２接地線と、
前記第１端子と前記第２端子の間に、前記第１信号線および前記第２信号線と平行して、前記入力プラグを経由して敷設される第３信号線と、
を備えることを特徴とするヘッドホン用ケーブル。
【請求項４】
前記第３信号線は、前記第１筐体と前記第２筐体にそれぞれ、同一電位を形成するために利用されることを特徴とする請求項３に記載のヘッドホン用ケーブル。
【請求項５】
前記第３信号線は、前記第１、第２筐体の一方に搭載される電池の電圧を、他方の筐体に対して供給するために使用されることを特徴とする請求項４に記載のヘッドホン用ケーブル。
【発明の詳細な説明】
【技術分野】
【０００１】
本発明は、ヘッドホンに関する。
【背景技術】
【０００２】
人混みや電車などの騒音の中で、快適な再生環境を提供するために、ノイズキャンセリング機能付きのヘッドホンが開発されている。ノイズキャンセリングは、マイクロホンによって周囲の騒音（環境音）を集音し、位相を反転してスピーカから再生すべき音声信号に重畳する。その結果、スピーカから出力される環境音の成分と、実際の環境音が相殺され、人間の耳には音声（オーディオ）信号の成分のみが知覚される。
【特許文献１】特開２００４−２１４７６５号公報
【特許文献２】特開平１１−１８７４７６号公報
【発明の開示】
【発明が解決しようとする課題】
【０００３】
図１は、ノイズキャンセリング機能付きヘッドホン２００の構成例を示す図である。ノイズキャンセリング機能付きのヘッドホン２００は、左右それぞれの耳に装着される第１筐体５０ａと第２筐体５０ｂおよびケーブル５２を備える。第１筐体５０ａと第２筐体５０ｂは、アーム５６によって接続されている。ノイズキャンセリング機能を左右両チャンネルに独立に設ける場合、第１筐体５０ａと第２筐体５０ｂそれぞれに、ノイズをキャンセルするためのノイズキャンセリング回路５８ａ、５８ｂが搭載される。
【０００４】
電池６０が一方の筐体（たとえば第１筐体５０ａ）のみに搭載される場合、他方（第２筐体５０ｂ側）のノイズキャンセリング回路５８ｂに電池電圧を供給するため、ヘッドホン２００のアーム５６の内部に配線６２が敷設されていた。
【０００５】
一般にアーム５６は、ヘッドホン２００の装着性を高めるために、その使用者の頭のサイズや形状に応じて、伸縮可能に構成されるのが一般である。あるいは、ヘッドホンの携帯性を高めるために、折りたたみ可能に構成される場合もある。
【０００６】
ところが、一方の筐体から他方の筐体に電源電圧を供給するための配線をアーム内に敷設すると、配線がアームの可動性に影響を及ぼす場合があった。あるいは、可動性に影響を及ぼさないような配線を用いると、配線の耐久性が犠牲になるという問題があった。こうした問題は、ノイズキャンセリング機能を備えるヘッドホンに限らず発生しうる。
【０００７】
本発明は係る状況に鑑みてなされたものであり、その目的は、アームに沿った配線が不要なヘッドホンの提供にある。
【課題を解決するための手段】
【０００８】
本発明のある態様は、音源から出力されるオーディオ電気信号を音響信号に変換するヘッドホンに関する。このヘッドホンは、第１筐体と、第２筐体と、ケーブルと、を備える。第１筐体は、電池と、第１スピーカと、第１マイクロホンと、入力された第１オーディオ信号に第１マイクロホンにより集音された音声信号を位相反転して重畳し、第１スピーカを駆動する第１駆動回路と、を含む。第２筐体は、第２スピーカと、第２マイクロホンと、入力された第２オーディオ信号に第２マイクロホンにより集音された音声信号を位相反転して重畳し、第２スピーカを駆動する第２駆動回路と、を含む。ケーブルは、音源から出力される第１、第２オーディオ信号を、第１、第２筐体に分配する。ケーブルは、着脱可能な入力プラグと、第１筐体に接続すべき第１端子と、第２筐体に接続すべき第２端子と、入力プラグと第１端子の間に敷設され、第１オーディオ信号を伝送するための第１信号線と、入力プラグと第１端子の間に敷設され、第１信号線と対をなす第１接地線と、入力プラグと第２端子の間に敷設され、第２オーディオ信号を伝送するための第２信号線と、入力プラグと第２端子の間に敷設され、第２信号線と対をなす第２接地線と、第１端子と第２端子の間に、第１信号線および第２信号線と平行して、入力プラグを経由して敷設される第３信号線と、を備える。第１駆動回路は、第１筐体内に敷設された配線を介して、電池から電力供給を受け、第２駆動回路は、第３信号線を介して、電池から電力供給を受ける。
【０００９】
「ヘッドホン」とは、人間の左右の耳に対して音響信号を与える装置をいい、そのサイズは問わない。したがって「ヘッドホン」は、イヤホンや通話用のヘッドセットなどを含む。この態様によると、アームに沿った配線が不要となる。
【００１０】
第１、第２駆動回路はそれぞれ、対応するマイクロホンの出力を増幅するマイクアンプと、マイクアンプの出力の位相を調節する位相調節回路と、位相調節回路の出力を増幅するスピーカアンプと、入力された対応するオーディオ信号に、対応するスピーカアンプの出力を重畳し、対応するスピーカに出力する信号加算回路と、を含んでもよい。
【００１１】
本発明の別の態様は、第１筐体と第２筐体を有するヘッドホンを音源と接続するためのヘッドホン用ケーブルに関する。このヘッドホン用ケーブルは、着脱可能な入力プラグと、第１筐体に接続すべき第１端子と、第２筐体に接続すべき第２端子と、入力プラグと第１端子の間に敷設され、第１オーディオ信号を伝送するための第１信号線と、入力プラグと第１端子の間に敷設され、第１信号線と対をなす第１接地線と、入力プラグと第２端子の間に敷設され、第２オーディオ信号を伝送するための第２信号線と、入力プラグと第２端子の間に敷設され、第２信号線と対をなす第２接地線と、第１端子と第２端子の間に、第１信号線および第２信号線と平行して、入力プラグを経由して敷設される第３信号線と、を備える。
【００１２】
この態様によると、アームに沿った配線が不要となる。
【００１３】
第３信号線は、第１筐体と第２筐体にそれぞれ、同一電位を形成するために利用されてもよい。
【００１４】
第３信号線は、第１、第２筐体の一方に搭載される電池の電圧を、他方の筐体に対して供給するために使用されてもよい。
【００１５】
なお、以上の構成要素の任意の組合せや本発明の構成要素や表現を、方法、装置、システムなどの間で相互に置換したものもまた、本発明の態様として有効である。
【発明の効果】
【００１６】
本発明によれば、アームに沿った配線が不要となる。
【発明を実施するための最良の形態】
【００１７】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１８】
本明細書において、「部材Ａが部材Ｂに接続された状態」とは、部材Ａと部材Ｂが物理的に直接的に接続される場合や、部材Ａと部材Ｂが、電気的な接続状態に影響を及ぼさない他の部材を介して間接的に接続される場合も含む。同様に、「部材Ｃが、部材Ａと部材Ｂの間に設けられた状態」とは、部材Ａと部材Ｃ、あるいは部材Ｂと部材Ｃが直接的に接続される場合のほか、電気的な接続状態に影響を及ぼさない他の部材を介して間接的に接続される場合も含む。
【００１９】
図２は、実施の形態に係るヘッドホン１００の構成を示す図である。ヘッドホン１００は、音源（不図示）から出力されるオーディオ電気信号を音響信号に変換する。
【００２０】
ヘッドホン１００は、第１筐体１０ａ、第２筐体１０ｂ、ケーブル３０およびアーム１０ｃを備える。
第１筐体１０ａの内部には、電池１２と、第１スピーカ１４ａと、第１マイクロホン１６ａと、第１駆動回路２０ａが実装される。
第１マイクロホン１６ａは環境音を集音し、電気音声信号に変換する。第１駆動回路２０ａは、ノイズキャンセリング回路であって、音源から出力され、第１スピーカ１４ａから音響信号として出力すべき第１オーディオ信号Ｓ１に、第１マイクロホン１６aにより集音された音声信号を位相反転して重畳し、第１スピーカ１４ａを駆動する。
【００２１】
第１駆動回路２０ａは、マイクアンプ２２ａ、位相調節回路２４ａ、スピーカアンプ２６ａ、加算抵抗Ｒ１、加算抵抗Ｒ２を含む。
マイクアンプ２２は、第１マイクロホン１６ａの出力信号を増幅する。位相調節回路２４は、マイクアンプ２２の出力の位相を調節する。スピーカアンプ２６ａは、位相調節回路２４ａの出力を増幅する。加算抵抗Ｒ１、加算抵抗Ｒ２は、ケーブル３０を介して入力された第１オーディオ信号Ｓ１に、スピーカアンプ２６ａの出力を重畳し、第１スピーカ１４ａに出力する信号加算回路として機能する。
【００２２】
第２筐体１０ｂの内部には、第２スピーカ１４ｂ、第２マイクロホン１６ｂ、第２駆動回路２０ｂが実装される。
第２マイクロホン１６ｂは環境音を集音し、電気音声信号に変換する。第２駆動回路２０ｂは、ノイズキャンセリング回路であって、音源から出力される第２オーディオ信号Ｓ２に、第２マイクロホン１６ｂにより集音された音声信号を位相反転して重畳し、第２スピーカ１４ｂを駆動する。第２駆動回路２０ｂは第１駆動回路２０ａと同様に構成される。
【００２３】
第１筐体１０ａと第２筐体１０ｂは、アーム１０ｃによって機械的に接続される。
【００２４】
ケーブル３０は、音源（不図示）から入力プラグ３２に入力された第１、第２オーディオ信号Ｓ１、Ｓ２を、第１筐体１０ａ、第２筐体１０ｂに分配する。
ケーブル３０は、入力プラグ３２に加えて、第１端子３４ａ、第２端子３４ｂ、第１信号線Ｌ１、第１接地線Ｌｇ１、第２信号線Ｌ２、第２接地線Ｌｇ２、第３信号線Ｌ３を備える。
【００２５】
入力プラグ３２はステレオピンジャックであり、オーディオ信号が供給されるソケットに着脱可能に構成される。入力プラグ３２は、第１端子３２ａ、第２端子３２ｂ、接地端子３２ｃを備える。第１端子３２ａには第１オーディオ信号Ｓ１が、第２端子３２ｂには第２オーディオ信号Ｓ２が、接地端子３２ｃには接地電位が与えられる。
【００２６】
ケーブル３０の第１端子３４ａは、第１筐体１０ａと接続される。第２端子３４ｂは第２筐体１０ｂと接続される。
【００２７】
第１信号線Ｌ１は、入力プラグ３２と第１端子３４ａの間に敷設され、第１オーディオ信号Ｓ１を伝送する。第１接地線Ｌｇ１は第１信号線Ｌ１と対をなし、入力プラグ３２と第１端子３４ａの間に第１信号線Ｌ１に沿って敷設される。
つまり第１信号線Ｌ１の一端は、入力プラグ３２の第１端子３２ａに接続されており、第１接地線Ｌｇ１の一端は、入力プラグ３２の接地端子３２ｃに接続される。
【００２８】
同様に第２信号線Ｌ２は、入力プラグ３２と第２端子３４ｂの間に敷設され、第２オーディオ信号Ｓ２を伝送する。第２接地線Ｌｇ２は第２信号線Ｌ２と対をなし、入力プラグ３２と第２端子３４ｂの間に第２信号線Ｌ２に沿って敷設される。
【００２９】
第３信号線Ｌ３は、第１端子３４ａと第２端子３４ｂの間に、第１信号線Ｌ１および第２信号線Ｌ２と平行して、入力プラグ３２を経由して敷設される。
【００３０】
第１信号線Ｌ１、第１接地線Ｌｇ１、第２信号線Ｌ２、第２接地線Ｌｇ２、第３信号線Ｌ３は、図示しない絶縁体で被覆されている。つまり、第１信号線Ｌ１、第１接地線Ｌｇ１および第３信号線Ｌ３の一部Ｌ３ａの組と、第２信号線Ｌ２、第２接地線Ｌｇ２、第３信号線Ｌ３の一部Ｌ３ｂの組は、それぞれ、外観上単一の配線を形成している。
【００３１】
図２には、ケーブル３０が入力プラグ３２を頂点とするＶ字型に分岐した配線として示されるが、Ｙ字型であってもよい。あるいは別の形状の配線であってもよい。
【００３２】
第１筐体１０ａ側の第１駆動回路２０ａは、スイッチＳＷ１および第１筐体１０ａ内に敷設された配線Ｌ４を介して、電池１２から電力供給を受ける。一方、第２筐体１０ｂ側の第２駆動回路２０ｂは、第３信号線Ｌ３を介して、電池１２から電力供給を受ける。
【００３３】
実施の形態に係るケーブル３０を利用することで、アーム１０ｃの内部に、第１筐体１０ａから第２筐体１０ｂに対して電池電圧を供給するための電源配線を敷設する必要がなくなるため、アーム１０ｃの設計の自由度が高くなる。あるいはアーム１０ｃを設けなくてもよいため、設計上の制約が緩和され、デザイン性の高いヘッドホン１００の提供に資することになる。
【００３４】
さらには電源配線をケーブル３０の内部に第１信号線Ｌ１、第２信号線Ｌ２と並列に敷設される第３信号線Ｌ３として形成することにより、電源配線の断線の可能性を低減できる。なぜなら、ケーブル３０は強度および柔軟性が高い絶縁部材で形成されるからである。
【００３５】
実施の形態に係るケーブル３０を、ノイズキャンセリング機能付きのヘッドホン１００に利用する場合を説明したが、ケーブル３０の用途はこれに限定されず、一方の筐体に電源が搭載され、他方の筐体においてその電源電圧を利用するさまざまなヘッドホンに利用できる。さらには、ケーブル３０の第３信号線Ｌ３の用途は、電源電圧の伝送に限定されるものではなく、その他任意の信号の伝送に用いてもよい。
【００３６】
実施の形態では、ステレオ型のヘッドホンについて説明したが、モノラル型のヘッドホンにも適用可能である。この場合、入力プラグ３２の形状を変更すればよい。
【００３７】
以上、実施の形態にもとづき、本発明を説明したが、実施の形態は、本発明の原理、応用を示しているにすぎないことはいうまでもなく、実施の形態には、請求の範囲に規定された本発明の思想を離脱しない範囲において、多くの変形例や配置の変更が可能であることはいうまでもない。
【図面の簡単な説明】
【００３８】
【図１】ノイズキャンセリング機能付きヘッドホンの構成を示す図である。
【図２】実施の形態に係るヘッドホンの構成を示す図である。
【符号の説明】
【００３９】
１００…ヘッドホン、１０ａ…第１筐体、１０ｂ…第２筐体、３０…ケーブル、３２…入力プラグ、３４ａ…第１端子３２、３４ｂ…第２端子、Ｌ１…第１信号線、Ｌｇ１…第１接地線、Ｌ２…第２信号線、Ｌｇ２…第２接地線、Ｌ３…第３信号線、１２…電池、１４ａ…第１スピーカ、１４ｂ…第２スピーカ、１６ａ…第１マイクロホン、１６ｂ…第２マイクロホン、２０ａ…第１駆動回路、２０ｂ…第２駆動回路、２２…マイクアンプ、２４…位相調節回路、２６…スピーカアンプ、Ｒ１…加算抵抗、Ｒ２…加算抵抗。
【図１】
2009141675.tif 000003
【図２】
2009141675.tif 000004